(57)【特許請求の範囲】
【請求項１】
コンセントに差し込み可能なプラグおよび電気機器を差し込み可能なコンセントを有する電力表示器であって、
前記プラグからの入力電流および入力電圧に基づいて算出された積算電力量と、前記積算電力量に基づいて算出された積算電気料金および積算ＣＯ2排出量とを含む各表示項目を所定のインターバルでサイクリック表示する表示部を具備し、
前記表示部は、積算電気料金の表示項目がオーバーフローした時点でバー表示に切り替えた上で、前記積算電力量の表示項目がオーバーフローした時点でその積算電力量および積算ＣＯ2排出量をゼロ表示に切り替えると共に前記積算電気料金をバー表示からゼロ表示へ切り替えるようにしたことを特徴とする電力表示器。
【請求項２】
前記プラグからの入力電流を検出する電流検出部と、前記プラグからの入力電圧を検出する電圧検出部と、電流検出部および電圧検出部の出力に基づいて積算電力量を算出すると共に、前記積算電力量に基づいて積算電気料金および積算ＣＯ2排出量を算出する演算部と、前記演算部の出力に基づいて前記表示部を駆動する制御部とで構成されている請求項１に記載の電力表示器。
【発明の詳細な説明】
【技術分野】
【０００１】
本発明は、例えば、一般家庭のコンセントに装着すると共に電気機器を接続することにより、電気機器の積算電力量などの表示項目を表示させる簡易型の電力表示器に関する。
【背景技術】
【０００２】
近年、地球温暖化などの環境問題から、一般家庭での省エネルギー対策として、電気機器の積算電力量、積算電気料金および積算通電時間などの表示項目を表示するようにした簡易型電力量表示器が提案されている（例えば、特許文献１参照）。この簡易型電力量表示器は、一般家庭で使用する各種電気機器の積算電力量、積算電気料金および積算通電時間などの表示項目を表示することにより、電力需要家の省エネ意識を高めようとするものである。
【０００３】
この特許文献１に開示された簡易型電力量表示器は、コンセントに差し込み可能なプラグおよび電気機器を差し込み可能なコンセントを有する機器ケース内に、積算通電時間、積算電力量および積算電気料金を算出する演算回路が設けられていると共に、その演算された積算電気料金の数値およびその単位記号である「円」と、積算電力量の数値およびその単位記号である「ｋＷｈ」と、積算通電時間の数値およびその単位記号である「時間」とを、その記載の順番で、かつ、設定時間間隔でサイクリックに表示させることが可能なＬＣＤ表示器が設けられている。
【先行技術文献】
【特許文献】
【０００４】
【特許文献１】特開２０００−１４７０１４号公報
【発明の概要】
【発明が解決しようとする課題】
【０００５】
ところで、前述した特許文献１における簡易型電力量表示器では、積算通電時間、積算電力量、積算電気料金のいずれかの数値がフル（９９９）になった場合は、積算通電時間のカウント、積算電力量の算出および積算電気料金の算出を停止すると共に、動作表示を消灯し、そのうち積算通電時間がフル（９９９時間）になった場合は、「円」→「ｋＷｈ」→「９９９」をサイクリックに表示し、積算電力量がフル（９９９ｋＷｈ）になった場合は、「円」→「９９９」→「時間」をサイクリックに表示し、かつ、積算電気料金がフル（９９９円）になった場合は、「９９９」→「ｋＷｈ」→「時間」をサイクリックに表示するようにしている（特許文献１の段落番号［００１６］参照）。
【０００６】
このように、特許文献１で開示された簡易型電力量表示器では、積算通電時間、積算電力量、積算電気料金のいずれかの数値がフル（９９９）になった場合、積算通電時間のカウント、積算電力量の算出および積算電気料金の算出を停止させている。通常、一番最初にフル（９９９円）となるのは積算電気料金であることから、その時点で積算電力量の算出を停止した場合、積算電力量がフル（９９９ｋＷｈ）まで表示可能な状態であるにもかかわらず、積算電力量の表示を停止することになる。
【０００７】
このような簡易型電力量表示器を使用する一般家庭の電力需要家にとっては、積算電気料金の表示がフル（９９９円）になった場合であっても、積算電力量を算出することを停止せずに続行することが必要な場合もあり、その積算電力量の数値を表示し続けることが要望されている。
【０００８】
そこで、本発明は前述の要望に鑑みて提案されたもので、その目的とするところは、積算電気料金の表示がフルになった場合であっても、積算電力量の算出を続行してその積算電力量の表示を継続するようにした電力表示器を提供することにある。
【課題を解決するための手段】
【０００９】
前述の目的を達成するための技術的手段として、本発明は、コンセントに差し込み可能なプラグおよび電気機器を差し込み可能なコンセントを有する電力表示器であって、プラグからの入力電流および入力電圧に基づいて算出された積算電力量と、その積算電力量に基づいて算出された積算電気料金および積算ＣＯ2排出量とを含む各表示項目を所定のインターバルでサイクリック表示する表示部を具備し、その表示部は、積算電気料金の表示項目がオーバーフローした時点でバー表示に切り替えた上で、積算電力量の表示項目がオーバーフローした時点でその積算電力量および積算ＣＯ2排出量をゼロ表示に切り替えると共に積算電気料金をバー表示からゼロ表示へ切り替えるようにしたことを特徴とする。
【００１０】
従来のように、積算電気料金の表示項目がフル（９９９円）となった時点でその数値を表示したままであると、積算電力量の数値が増加するにもかかわらず、積算電気料金の数値が９９９円のままとなることから、算出し続けている積算電力量に対して、算出を停止した積算電気料金を誤認することになる。そこで、本発明では、積算電気料金の表示項目がオーバーフローした時点でバー表示に切り替えることで、積算電力量に対する積算電気料金を誤認することを未然に防止できる。
【００１１】
本発明では、積算電気料金の表示項目がオーバーフローした時点でバー表示に切り替えた状態で、その後、積算電力量の表示項目がオーバーフローした時点でその積算電力量および積算ＣＯ2排出量をゼロ表示に切り替えると共に積算電気料金をバー表示からゼロ表示へ切り替えるようにしたことにより、積算電力量の計測を続行しながら、その積算電力量、積算電気料金および積算ＣＯ2排出量をリセットした上で表示することを続行する。
【００１２】
本発明の電力表示器は、プラグからの入力電流を検出する電流検出部と、プラグからの入力電圧を検出する電圧検出部と、電流検出部および電圧検出部の出力に基づいて積算電力量を算出すると共にその積算電力量に基づいて積算電気料金および積算ＣＯ2排出量を算出する演算部と、演算部の出力に基づいて表示部を駆動する制御部とで構成することが可能である。このようにすれば、電力表示器を簡易な回路構成で実現することができる。
【発明の効果】
【００１３】
本発明によれば、積算電気料金の表示項目がオーバーフローした時点でバー表示に切り替えることで、積算電力量に対する積算電気料金を誤認することを未然に防止できる。また、積算電気料金の表示項目がオーバーフローした時点でバー表示に切り替えた状態で、積算電力量の表示項目がオーバーフローした時点でその積算電力量および積算ＣＯ2排出量をゼロ表示に切り替えると共に積算電気料金をバー表示からゼロ表示へ切り替えるようにしたことにより、積算電気料金の表示がフルになった場合であっても、積算電力量の算出を続行してその積算電力量の表示を継続したいという電力需要家のニーズに速やかに対応することができ、その実用的価値は大きい。
【図面の簡単な説明】
【００１４】
【図１】本発明に係る電力表示器の実施形態で、積算電力量、積算電気料金および積算ＣＯ２排出量の表示状態を示す説明図である。
【図２】図１の表示状態を実現するためのフローチャートである。
【図３】本発明の電力表示器の外観および使用状態を示す斜視図である。
【図４】図３の電力表示器の内部構成を示すブロック図である。
【図５】図３の電力表示器の表示部で、サイクリック表示を示す説明図である。
【図６】図３の電力表示器の表示部で、積算電気料金の表示項目がバー表示となっている場合を示す説明図である。
【発明を実施するための形態】
【００１５】
本発明に係る電力表示器の実施形態を、図１〜図６を参照しながら以下に詳述する。
【００１６】
この実施形態の電力表示器１１は、図３に示すように、コンセント１２に差し込み可能なプラグ１３および電気機器１４を差し込み可能なコンセント１５を有する直方体形状の樹脂製筐体１６を持つ。この筐体１６の背面にプラグ１３を配設して屋内の壁面に設けられたコンセント１２に差し込み可能とし、筐体１６の下面にコンセント１５を配設して電気機器１４から延びるコード先端のプラグ１７が差し込み可能となっている。この筐体１６の前面にＬＣＤ等の表示部２７が配設されている。
【００１７】
この電力表示器１１の筐体１６内には、図４に示す内部回路が配線基板に実装された状態で格納されている。電力表示器１１の内部回路は、プラグ１３が設けられた入力端子２１に接続された電圧検出部２２と、コンセント１５が設けられた出力端子２３と入力端子２１との間に接続された電流検出部２４と、電圧検出部２２および電流検出部２４に接続された演算部２５と、その演算部２５に接続された制御部２６と、その制御部２６に接続されたＬＣＤ等の表示部２７と、制御部２６に接続された送受信部２８とで構成されている。なお、電圧検出部２２、電流検出部２４、演算部２５、制御部２６、表示部２７および送受信部２８に電源電圧を供給する電源部２９が設けられている。
【００１８】
前述の電圧検出部２２は、プラグ１３からの入力電圧を検出する。電流検出部２４は、プラグ１３からコンセント１５へ流れる入力電流を検出する。演算部２５は、電圧検出部２２および電流検出部２４の出力に基づいて電気機器１４の積算電力量を算出すると共に、積算電力量に基づいて積算電気料金および積算ＣＯ2排出量を算出する。制御部２６は、演算部２５の出力に基づいて積算電力量、積算電気料金および積算ＣＯ2排出量からなる各表示項目を表示する表示部２７を駆動する。表示部２７は、積算電力量、積算電気料金および積算ＣＯ2排出量とからなる各表示項目を所定のインターバルでサイクリック表示する。送受信部２８は、積算電力量を外部へ送信したり、外部からの指令を受信したりする。
【００１９】
なお、前述した積算電力量、積算電気料金および積算ＣＯ2排出量の各表示項目はいずれも積算される数値であるが、このような積算値以外の単位時間当たりの電気料金についても、前述の積算電力量、積算電気料金および積算ＣＯ2排出量に加えて、演算部２５で算出されて表示部２７で表示される。
【００２０】
表示部２７は、図５に示すように、７セグメントを８の字状に配置された３桁表示のＬＣＤで、最大３桁の数値が表示可能な数値表示部３１と、その最上位桁左側でドット点滅する動作表示部３２と、最下位桁右側で各表示項目に対応する単位記号である「円」「ｋＷｈ」「ｋｇ−ＣＯ2」「円／時間」を表示する単位記号表示部３３と、最上位桁と中間位桁との間および中間位桁と最下位桁との間でドット点灯する小数点表示部３４とを有している。なお、この小数点表示部３４のドット点灯を移動させることにより、必要とする桁数の数値を数値表示部３１で表示可能としている。
【００２１】
この実施形態の電力表示器１１では、図３および図４に示すように制御部２６により表示部２７を駆動することにより、その表示部２７にて、プラグ１３からの入力電流および入力電圧に基づいて演算部２５で算出された電気機器１４の積算電力量と、その積算電力量に基づいて演算部２５で算出された積算電気料金、積算ＣＯ2排出量および単位時間当たりの電気料金とからなる各表示項目を所定のインターバルでサイクリック表示する。
【００２２】
この表示部２７でのサイクリック表示は、例えば、図５に示すように電源投入時のみ、数値表示部３１の３桁表示「８８８」に加えて、動作表示部３２、単位記号表示部３３および小数点表示部３４の全てを１秒間だけ点灯させる。その後、積算電気料金の表示項目「２２円」→積算電力量の表示項目「１．００ｋＷｈ」→積算ＣＯ2排出量の表示項目「０．５５ｋｇ−ＣＯ2」→単位時間当たりの電気料金の表示項目「８．８円／時間」を３秒のインターバルでもってサイクリック表示する。
【００２３】
このサイクリック表示中、積算電気料金、積算電力量および積算ＣＯ2排出量が増加して、積算電気料金の表示項目がフル「９９９円」となり、その後、積算電気料金の表示項目がオーバーフローした時点で、表示部２７では、図６に示すように積算電気料金の表示項目をバー表示「−−−円」に切り替える。なお、積算電気料金、積算電力量および積算ＣＯ2排出量の各表示項目の中で、積算電気料金の表示項目が一番最初にフル「９９９円」となる。
【００２４】
つまり、図１および図２に示すように、サイクリック表示中、積算電気料金、積算電力量および積算ＣＯ2排出量が増加して（図２のSTEP１）、積算電気料金が９９９円になると、積算電気料金の表示項目「９９９円」→積算電力量の表示項目「４５．４ｋＷｈ」→積算ＣＯ2排出量の表示項目「２５．２ｋｇ−ＣＯ2」を表示する（図１のＤ２および図２のSTEP２）。次に、積算電気料金が９９９円を超えてその表示項目がオーバーフローした時点でバー表示「−−−円」に切り替えて、積算電気料金の表示項目「−−−円」→積算電力量の表示項目「４５．５ｋＷｈ」→積算ＣＯ2排出量の表示項目「２５．３ｋｇ−ＣＯ2」を表示する（図１のＤ３および図２のSTEP３）。
【００２５】
従来のように、積算電気料金の表示項目がフル（９９９円）となった時点でその数値を表示したままであると、積算電力量の数値が増加するにもかかわらず、積算電気料金の数値が９９９円のままとなることから、算出し続けている積算電力量に対して、算出を停止した積算電気料金を誤認することになる。そこで、積算電気料金の表示項目がオーバーフローした時点で前述のようにバー表示に切り替えることで、積算電気料金の数値が９９９円であるのか、あるいはそれを超えているのかが明確となり、積算電力量に対する積算電気料金を誤認することを未然に防止できる。
【００２６】
サイクリック表示中、さらに、積算電力量および積算ＣＯ2排出量が増加して、その積算電力量が９９９ｋＷｈになると、積算電気料金の表示項目「−−−円」→積算電力量の表示項目「９９９ｋＷｈ」→積算ＣＯ2排出量の表示項目「５５４ｋｇ−ＣＯ2」を表示する（図１のＤ４および図２のSTEP４）。次に、積算電力量が９９９ｋＷｈを超えてその表示項目がオーバーフローした時点で積算電力量および積算ＣＯ2排出量の表示項目をゼロ表示に切り替えると共に積算電気料金の表示項目をバー表示からゼロ表示へ切り替えて、積算電気料金の表示項目「０００円」→積算電力量の表示項目「０．００ｋＷｈ」→積算ＣＯ2排出量の表示項目「０．００ｋｇ−ＣＯ2」を表示する（図１のＤ１および図２のSTEP５〜７）。この表示で、積算電力量、積算電気料金および積算ＣＯ2排出量をリセットした上で計測を続行する。
【００２７】
この電力表示器１１では、積算電気料金の表示項目がオーバーフローした時点でバー表示に切り替え、その後、積算電力量の表示項目がオーバーフローした時点でその積算電力量および積算ＣＯ2排出量をゼロ表示に切り替えると共に積算電気料金をバー表示からゼロ表示へ切り替えるようにしたことにより、積算電力量の計測を続行しながら、その積算電力量、積算電気料金および積算ＣＯ2排出量をリセットした上で表示することを続行する。これにより、その積算電力量の表示を継続したいという電力需要家のニーズに速やかに対応することができる。
【００２８】
本発明は前述した実施形態に何ら限定されるものではなく、本発明の要旨を逸脱しない範囲内において、さらに種々なる形態で実施し得ることは勿論のことであり、本発明の範囲は、特許請求の範囲によって示され、さらに特許請求の範囲に記載の均等の意味、および範囲内のすべての変更を含む。
【符号の説明】
【００２９】
１１  電力表示器
１２  コンセント
１３  プラグ
１４  電気機器
１５  コンセント
２２  電圧検出部
２４  電流検出部
２５  演算部
２６  制御部
２７  表示部
【図１】
0005512596.tif 000002
【図２】
0005512596.tif 000003
【図３】
0005512596.tif 000004
【図４】
0005512596.tif 000005
【図５】
0005512596.tif 000006
【図６】
0005512596.tif 000007